(57)【要約】【課題】静電気の帯電および温度上昇を抑制することができる画像読取装置を提供する。【解決手段】画像読取部を内装した筐体１３０を備え、筐体１３０が自動原稿搬送装置に取り付けられる画像読取装置２００であって、筐体１３０は、画像読取部が組み付けられる金属製の芯部１３１と、芯部１３１の入側壁部１３１ａ、出側壁部１３１ｂおよび接点部が外方へ向けて露出するよう芯部１３１を覆う樹脂製の外装部１３２とを有し、芯部１３１は、除電ブラシおよびバネ部材を介して自動原稿搬送装置の金属部分と導通するよう構成されている。【選択図】図７
2015106733.tif 000002
【特許請求の範囲】
【請求項１】
画像読取部を内装した筐体を備え、前記筐体が自動原稿搬送装置に取り付けられる画像読取装置であって、
前記筐体は、前記画像読取部が組み付けられる金属製の芯部と、前記芯部の所定部分が外方へ向けて露出するよう前記芯部を覆う樹脂製の外装部とを有し、
前記芯部は、前記自動原稿搬送装置の金属部分と導通するよう構成されていることを特徴とする画像読取装置。
【請求項２】
前記芯部は、金属製の導通部を介して前記自動原稿搬送装置の金属部分と導通するよう構成されていることを特徴とする請求項１に記載の画像読取装置。
【請求項３】
前記導通部が、除電ブラシであることを特徴とする請求項２に記載の画像読取装置。
【請求項４】
前記導通部が、バネ部材であることを特徴とする請求項２に記載の画像読取装置。
【請求項５】
請求項１ないし請求項４のいずれか１項に記載の画像読取装置を装備したことを特徴とする画像形成装置。
【発明の詳細な説明】
【技術分野】
【０００１】
本発明は、画像読取装置および画像形成装置に関する。
【背景技術】
【０００２】
複写機等の画像形成装置に装備される画像読取装置は、画像読取部と、画像読取部を内装する筐体とを有している。画像読取部は、光電変換手段であるイメージセンサと、原稿に向けて光を照射する光源部と、原稿からの反射光をイメージセンサに向けて反射するミラー群と、ミラー群より出射される光をイメージセンサに結像するレンズ群とを含んで構成されている。筐体は、例えば、ダイキャストにより形成した金属製の一体構造物である。
【０００３】
また、自動原稿搬送装置を搭載した画像形成装置では、自動原稿搬送装置内に画像読取装置を設置して、原稿を搬送しながら原稿の画像を読み取るようにしたものがある。自動原稿搬送装置は、画像形成装置本体にヒンジ部を介して開閉自在に連結されているため、画像読取装置を軽量化してヒンジ部の荷重負担を小さくする必要がある。
【０００４】
従来、画像読取部を内装する筐体を、複数の合成樹脂製の部材によって構成するようにした画像形成装置が知られている（例えば、特許文献１参照）。この画像形成装置は、筐体を金属により形成したものに比べて軽量化されることになる。
【発明の概要】
【発明が解決しようとする課題】
【０００５】
しかしながら、自動原稿搬送装置内に設置される画像読取装置の筐体を合成樹脂で形成したとすると、原稿搬送時に、原稿と原稿ガイド用の部材等とが擦れることにより筐体に静電気が帯電し、静電気に起因した画像異常が発生することが懸念される。
【０００６】
また、合成樹脂製の筐体は、金属製の筐体に比べて放熱性が低く、画像読取時に光源部が発する熱により画像読取部の温度が上昇して、画像読取部が劣化する可能性がある。
【０００７】
本発明は、上述した課題を解決するためのもので、静電気の帯電および温度上昇を抑制することができる画像読取装置を提供することを目的としている。
【課題を解決するための手段】
【０００８】
本発明に係る画像形成装置は、上記目的を達成するため、画像読取部を内装した筐体を備え、前記筐体が自動原稿搬送装置に取り付けられる画像読取装置であって、前記筐体は、前記画像読取部が組み付けられる金属製の芯部と、前記芯部の所定部分が外方へ向けて露出するよう前記芯部を覆う樹脂製の外装部とを有し、前記芯部は、前記自動原稿搬送装置の金属部分と導通するよう構成されている。
【発明の効果】
【０００９】
本発明によれば、静電気の帯電および温度上昇を抑制することができる画像読取装置を提供することができる。
【図面の簡単な説明】
【００１０】
【図１】本発明の実施形態に係る画像読取装置を適用したＡＤＦを搭載した画像形成装置の概略構成図である。
【図２】本発明の実施形態に係る画像読取装置を適用したＡＤＦの概略構成図である。
【図３】図２に示すＡＤＦにおける制御ブロック図である。
【図４】図３に示す画像読取部の制御ブロック図である。
【図５】本発明の実施形態に係る画像読取装置の筐体の構成図であって、（ａ）は筐体を構成する芯部を示す斜視図、（ｂ）は芯部の所定部分が外方へ向けて露出するよう芯部を外装部で覆った状態を示す斜視図である。
【図６】本発明の実施形態に係る画像読取装置の筐体の部分斜視図である。
【図７】本発明の実施形態に係る画像読取装置の筐体の概略横断面図である。
【図８】本発明の実施形態に係る画像読取装置の筐体の概略斜視図である。
【図９】本発明の実施形態に係る画像読取装置の筐体の概略平面図である。
【図１０】本発明の実施形態に係る画像読取装置の後側板およびバネ部材の部分斜視図である。
【発明を実施するための形態】
【００１１】
以下、本発明の実施形態について、図面を参照して説明する。
【００１２】
図１に示すように、複写機１は、本実施形態に係る画像読取装置２００を適用した自動原稿搬送装置（Auto Document Feeder：以下、単にＡＤＦという）２と、給紙部３と、スキャナー部４と、画像形成部５とから構成される画像形成装置である。
【００１３】
ＡＤＦ２は、原稿トレイ１１と、排紙トレイ１２と、搬送部１３とを備えている。このＡＤＦ２は、スキャナー部４の上側に配置されている。ＡＤＦ２は、図示していない蝶番を介してスキャナー部４に連結されている。そして、ＡＤＦ２は、スキャナー部４の上面を覆う状態と、スキャナー部４の上面から離れて起立した状態とに位置設定することができるようになっている。
【００１４】
ＡＤＦ２は、原稿トレイ１１に載せた原稿Ｍ（図２参照）を、搬送部１３によってスキャナー部４におけるスリットガラス７上へ向けて搬送し、スリットガラス７上を通過させた後、排紙トレイ１２に送り出すようになっている。
【００１５】
給紙部３は、用紙サイズが異なる記録紙を収納する複数の給紙カセット２１、２２と、給紙カセット２１、２２に収納された記録紙を、画像形成部５における画像形成位置まで搬送する給紙手段２３とを有している。給紙手段２３は、各種のローラなどによって構成されている。
【００１６】
スキャナー部４は、原稿Ｍに表示されている画像を、原稿Ｍがスリットガラス７上を通過する際に読み取るようになっている。スキャナー部４は、光源部およびミラー部材を搭載した第１キャリッジ２５と、ミラー部材を搭載した第２キャリッジ２６と、結像レンズ２７と、撮像部２８とを備えている。
【００１７】
スキャナー部４は、第１キャリッジ２５に搭載された光源部によって、スリットガラス７上を通過中の原稿Ｍに光を照射するようになっている。また、スキャナー部４は、第１キャリッジ２５、第２キャリッジ２６に搭載された各ミラー部材によって、原稿Ｍからの反射光を折り返させ、その反射光を結像レンズ２７によって結像し、撮像部２８で読み取らせるようになっている。
【００１８】
画像形成部５は、露光装置３１と、感光体ドラム３２と、現像装置３３と、転写ベルト３４と、定着装置３５とを備えている。画像形成部５は、撮像部２８に読み取られた読取画像に基づき、露光装置３１により感光体ドラム３２を露光して感光体ドラム３２に潜像を形成し、現像装置３３により異なる色のトナーを感光体ドラム３２に供給して現像するようになっている。
【００１９】
画像形成部５は、転写ベルト３４により感光体ドラム３２に現像されたトナー画像を、給紙部３から搬送された記録紙に転写し、定着装置３５により記録紙に転写されたトナー画像を形成しているトナーを溶融して、記録紙にカラー画像を定着するようになっている。
【００２０】
図２に示すように、ＡＤＦ２における原稿トレイ１１は、可動原稿テーブル４１と、一対のサイドガイド４２とを有している。サイドガイド４２は、原稿Ｍの幅方向（原稿Ｍの給紙方向および原稿Ｍの厚み方向に対して直行する方向）に向き合っている。
【００２１】
可動原稿テーブル４１は、原稿トレイ１１において原稿Ｍの給紙方向の略前半部を構成している。この可動原稿テーブル４１は、原稿Ｍの給紙方向上流側に位置している基端部を支点として給紙方向下流側に位置している先端部が、図中のａ方向およびｂ方向に昇降するようになっている。すなわち、原稿トレイ１１は、可動原稿テーブル４１の先端部を昇降させることにより、原稿トレイ１１に載せた原稿Ｍの給紙方向前端部を適切な高さに合わせることができるようになっている。
【００２２】
可動原稿テーブル４１の先端部の上方には、テーブル上昇センサ８７が設けられている。テーブル上昇センサ８７は、原稿トレイ１１に載せた原稿Ｍの給紙方向前端部が適切な高さである給紙適正位置に保持されているかを検知するようになっている。
【００２３】
可動原稿テーブル４１の先端部の下方には、ホームポジションセンサ８８が設けられている。ホームポジションセンサ８８は、可動原稿テーブル４１がホームポジションにあることを検知するようになっている。
【００２４】
原稿トレイ１１における原稿Ｍの給紙方向の略後半部には、原稿長さ検知センサ８９、９０が、原稿Ｍの給紙方向に間隔を置いて設けられている。この原稿長さ検知センサ８９、９０は、原稿Ｍの向きが縦と横とのいずれになっているかを検知するためのものである。原稿長さ検知センサ８９，９０としては、光学的手段を用いた非接触式センサ、あるいは機械的手段を用いた接触式センサのいずれを用いてもよい。
【００２５】
一対のサイドガイド４２は、原稿トレイ１１に載せた原稿Ｍの幅方向位置を設定するようになっている。一方のサイドガイド４２は、原稿Ｍの幅方向に移動可能に構成されている。これにより、原稿トレイ１１の載せる原稿Ｍのサイズが変わっても、原稿Ｍを原稿トレイ１１の所定位置にセットすることができるようになっている。
【００２６】
他方のサイドガイド４２には、セットフィラー４６が設けられている。セットフィラー４６は、その上端部を支点として下端部が、原稿Ｍの給紙方向に移動するようになっている。また、セットフィラー４６における下端部の移動軌跡上の最下部には、原稿トレイ１１に原稿Ｍが載せられたことを検知する原稿セットセンサ８２が設けられている。
【００２７】
セットフィラー４６の下端部は、原稿トレイ１１に原稿Ｍが載せられていない状態では、原稿セットセンサ８２に接するようになっている。また、セットフィラー４６の下端部は、原稿トレイ１１に原稿Ｍが載せられると、原稿Ｍの給紙方向下流側へ押し出されて、原稿セットセンサ８２から離れるようになっている。すなわち、原稿セットセンサ８２は、原稿セットセンサ８２にセットフィラー４６が離れているか否かにより、原稿トレイ１１における原稿Ｍの有無を検知するようになっている。
【００２８】
図２に示すように、ＡＤＦ２における搬送部１３は、分離給送部Ａと、プルアウト部Ｂと、ターン部Ｃと、第１読取搬送部Ｄと、第２読取搬送部Ｅと、排紙部Ｆとによって構成されている。また、本実施形態に係る画像読取装置２００は、第２読取搬送部Ｅに組み込まれている。
【００２９】
分離給送部Ａは、ピックアップローラ６１と、給紙ベルト６２と、リバースローラ６３と、アーム支持部材６４とを有している。
【００３０】
アーム支持部材６４は、原稿Ｍの搬送経路の上側に位置している。アーム支持部材６４は、原稿Ｍの給紙方向に延びており、その給紙方向下流側に位置する基端部を支点として給紙方向上流側に位置する先端部が、図中のｃ方向およびｄ方向に昇降するようになっている。
【００３１】
アーム支持部材６４における先端部は、可動原稿テーブル４１における先端部の上側に位置するようになっている。そして、ピックアップローラ６１は、アーム支持部材６４における先端部に支持されている。このピックアップローラ６１は、原稿トレイ１１に積み重ねて載せた複数の原稿Ｍのうち、数枚（理想的には１枚）の原稿Ｍをピックアップするようになっている。
【００３２】
給紙ベルト６２は、ピックアップローラ６１よりも原稿Ｍの給紙方向下流側において搬送経路の上側に位置している。リバースローラ６３は、ピックアップローラ６１よりも原稿Ｍの給紙方向下流側において搬送経路の下側に位置している。この給紙ベルト６２とリバースローラ６３とは、原稿Ｍの搬送経路を挟んで向き合っている。
【００３３】
給紙ベルト６２は、原稿Ｍを給紙方向下流側へ送り出す向きに回転し、リバースローラ６３は、原稿Ｍを給紙方向上流側へ引き戻す向きに回転するようになっている。つまり、原稿Ｍが重なった状態で給紙方向下流側へ送り出されようとした場合、給紙ベルト６２に接している原稿Ｍ以外の他の原稿Ｍは、リバースローラ６３の回転により給紙方向上流側へ引き戻される。これにより、原稿Ｍが重なった状態で給紙方向下流側へ送り出されることが防止されるようになっている。
【００３４】
リバースローラ６３は、リバースローラ６３が原稿Ｍを介さずに給紙ベルト６２に接している場合には、図示しないトルクリミッタの働きにより、給紙ベルト６２に連れ回りするようになっている。また、リバースローラ６３は、リバースローラ６３と給紙ベルト６２との間に原稿Ｍが１枚だけ介在している場合も、トルクリミッタの働きにより、給紙ベルト６２に連れ回りするようになっている。さらに、給紙ベルト６２は、リバースローラ６３に接する位置と離れた位置との間を上下に移動するよう構成されている。
【００３５】
プルアウト部Ｂは、一対のプルアウトローラ６５を有している。プルアウトローラ６５は、原稿Ｍの搬送経路の上側および下側に位置している。プルアウト部Ｂは、プルアウトローラ６５とピックアップローラ６１との駆動タイミングにより、分離給送部Ａから送り出された原稿Ｍを一次突当整合（スキュー補正）し、整合後の原稿Ｍを引き出し搬送するようになっている。また、プルアウトローラ６５は、原稿Ｍをターン部Ｃに送り出すようになっている。
【００３６】
ターン部Ｃにおける原稿Ｍの搬送経路は、ブルアウト部Ｂから下向きに湾曲して、スキャナー部４における読取位置７ａ（スリットガラス７が設けられている位置）へ延びている。ターン部Ｃは、一対の中間ローラ６６と、一対の読取入口ローラ６７とを有している。
【００３７】
中間ローラ６６は、原稿Ｍの搬送経路の上側および下側に位置し、読取入口ローラ６７は、中間ローラ６６よりも原稿Ｍの搬送経路の下流側において搬送経路の上側および下側に位置している。
【００３８】
ターン部Ｃは、中間ローラ６６により引き出し搬送された原稿Ｍを、湾曲した搬送送路に通して下向きになるよう反転させ、さらに、原稿Ｍを、読取入口ローラ６７によりスキャナー部４における読取位置７ａの近くまで搬送するようになっている。
【００３９】
プルアウト部Ｂおよびターン部Ｃにおける原稿Ｍの搬送速度は、後述の第１読取搬送部Ｄにおける原稿Ｍの搬送速度よりも高く設定されている。これにより、分離給送部Ａから送り出された原稿Ｍが、第１読取搬送部Ｄに到達するまでの搬送時間を短縮するようになっている。
【００４０】
第１読取搬送部Ｄは、第１読取ローラ６８と、一対の第１読取出口ローラ６９とを有している。第１読取ローラ６８は、原稿Ｍの搬送経路の上側に位置し、スリットガラス７に向き合うようになっている。また、第１読取出口ローラ６９は、第１読取ローラ６８よりも原稿Ｍの給紙方向下流側において搬送経路の上側および下側に位置している。
【００４１】
第１読取搬送部Ｄは、ターン部Ｃから搬送された原稿Ｍを、第１読取ローラ６８によりスリットガラス７に接触させながら搬送し、さらに、原稿Ｍを、第１読取出口ローラ６９により第２読取搬送部Ｅへ送り出すようになっている。第１読取搬送部Ｄでは、原稿Ｍにおいて下向きになっている面の画像を、スキャナー部４により読み取るようになっている。
【００４２】
第２読取搬送部Ｅは、画像読取装置２００と、第２読取ローラ７０と、一対の第２読取出口ローラ７１とを有している。画像読取装置２００は、原稿Ｍの搬送経路の上側に位置している。第２読取ローラ７０は、原稿Ｍの搬送経路の下側に位置し、画像読取装置２００に向き合っている。また、第２読取出口ローラ７１は、第２読取ローラ７０よりも原稿Ｍの給紙方向下流側において搬送経路の上側および下側に位置している。
【００４３】
第２読取搬送部Ｅは、第１読取搬送部Ｅから搬送された原稿Ｍを、第２読取ローラ７０により画像読取装置２００に接触させながら搬送し、さらに、原稿Ｍを、第２読取出口ローラ７１により排紙部Ｆへ送り出すようになっている。第２読取搬送部Ｅでは、原稿Ｍにおいて上向きになっている面の画像を、画像読取装置２００により読み取るようになっている。
【００４４】
排紙部Ｆは、一対の排紙ローラ７２を有している。排紙ローラ７２は、原稿Ｍの搬送経路の上側および下側に位置している。排紙部Ｆは、第２読取搬送部Ｇから搬送された原稿Ｍを、排紙ローラ７２により排紙トレイ１２へ送り出すようになっている。
【００４５】
ＡＤＦ２において、分離給送部Ａとプルアウト部Ｂとの間には、分離センサ９１および突当センサ８４が設けられ、プルアウト部Ｂとターン部Ｃとの間には、原稿幅センサ８５が設けられている。また、ＡＤＦ２において、ターン部Ｃと第１読取搬送部Ｄとの間には、読取入口センサ８６が設けられ、第１読取搬送部Ｄには、レジストセンサ８１が設けられ、第１読取搬送部Ｄと第２読取搬送部Ｅとの間には、排紙センサ８３が設けられている。
【００４６】
本実施形態において、原稿Ｍの先端とは、原稿Ｍの給紙方向先端および搬送方向先端を意味し、原稿Ｍの後端とは、原稿Ｍの給紙方向後端および搬送方向後端を意味している。
【００４７】
図３に示すように、ＡＤＦ２は、コントローラ１００を備えている。コントローラ１００には、レジストセンサ８１、原稿セットセンサ８２、排紙センサ８３、突当センサ８４、原稿幅センサ８５、読取入口センサ８６、テーブル上昇センサ８７、ホームポジションセンサ８８が接続されている。また、コントローラ１００には、原稿長さ検知センサ８９、９０および分離センサ９１が接続されている。これらのセンサ８１〜９１は、コントローラ１００に対して、原稿Ｍの有無、あるいは位置などを検出した信号を送信するようになっている。
【００４８】
さらに、コントローラ１００には、ピックアップ昇降モータ１２０、ピックアップ搬送モータ１２１、給紙モータ１２２、読取モータ１２３、排紙モータ１２４が接続されている。また、コントローラ１００には、底板上昇モータ１２５、プルアウトモータ１２６、読取入口モータ１２７および画像読取部１０１が接続されている。
【００４９】
底板上昇モータ１２５は、可動原稿テーブル４１を昇降させるようになっている。ピックアップ昇降モータ１２０は、アーム支持部材６４を介してピックアップローラ６１を昇降させるようになっている。
【００５０】
ピックアップ搬送モータ１２１は、ピックアップローラ６１を回転させるようになっている。給紙モータ１２２は、給紙ベルト６２およびリバースローラ６３を回転させるようになっている。プルアウトモータ１２６は、プルアウトローラ６５を回転させるようになっている。
【００５１】
読取入口モータ１２７は、読取入口ローラ６７を回転させるようになっている。読取モータ１２３は、第１読取ローラ６８、第１読取出口ローラ６９および第２読取出口ローラ７１を回転させるようになっている。排紙モータ１２４は、排紙ローラ７２を回転させるようになっている。
【００５２】
さらに、コントローラ１００は、センサ８１〜９１からの信号に基づき、モータ１２０〜１２７および画像読取部１０１を制御するようになっている。
【００５３】
また、複写機１は、装置全体の制御を行うための本体制御部１０５と、ユーザによる各種の入力操作や動作指示を行うため操作部１０６を備えている。コントローラ１００と本体制御部１０５は、Ｉ／Ｆ回路１１８を介して接続されており、双方の間で制御信号などのデータの授受が行われるようになっている。操作部１０６においては、原稿Ｍの読取が、両面モードおよび片面モードのいずれの読取モードで実行するかを、ユーザが選択できるようになっている。
【００５４】
図４に示すように、画像読取部１０１は、光源部１１１と、センサチップ１１２と、増幅器１１３と、Ａ／Ｄ変換部１１４と、画像処理部１１５と、フレームメモリ１１６と、出力制御回路１１７と、Ｉ／Ｆ回路１１８とを備えている。
【００５５】
光源部１１１は、コントローラ１００からの信号に基づき、原稿Ｍに光を照射するようになっている。センサチップ１１２は、原稿Ｍからの反射光を受光して、電気信号に変換するようになっている。
【００５６】
増幅器１１３は、センサチップ１１２から出力される電気信号を増幅するようになっている。Ａ／Ｄ変換部１１４は、増幅器１１３から出力される電気信号をアナログ信号からデジタル信号に変換するようになっている。画像処理部１１５は、Ａ／Ｄ変換部１１４から出力されるデジタル信号を画像処理するようになっている。フレームメモリ１１６は、画像処理部１１５により画像処理が行われた信号を記憶するようになっている。
【００５７】
出力制御回路１１７は、コントローラ１００からのタイミング信号に基づき、フレームメモリ１１６に記憶されている信号をＩ／Ｆ回路１１８を介して本体制御部１０５に出力するようになっている。
【００５８】
図５〜図７に示すように、本実施形態に係る画像読取装置２００は、前述の画像読取部１０１における光源部１１１およびセンサチップ１１２等を内装する筐体１３０を有している。筐体１３０は、金属製の芯部１３１と、樹脂製の外装部１３２と、ガラス板１３３と、除電ブラシ１３４と、板バネよりなるバネ部材１３５とを含んで構成されている。ここで、除電ブラシ１３４およびバネ部材１３５は、本発明における導通部に相当する。
【００５９】
芯部１３１は、原稿搬送方向に向き合う入側壁部１３１ａおよび出側壁部１３１ｂと、これら壁部１３１ａ、１３１ｂの間に位置して両壁部１３１ａ、１３１ｂの上辺部に連なる頭頂部１３１ｃとを備えた略溝型材状に形成されている。この芯部１３１は、入側壁部１３１ａ、出側壁部１３１ｂおよび頭頂部１３１ｃにより囲まれる空間に、光源部１１１およびセンサチップ１１２等が組み付けられるようになっている。
【００６０】
また、芯部１３１は、入側壁部１３１ａの下辺部から原稿搬送方向上流側へ向けて突出する補強部１３１ｄと、出側壁部１３１ｂの下辺部から原稿搬送方向下流側へ向けて突出する補強部１３１ｅとを備えている。さらに、芯部１３１は、頭頂部１３１ｃの一端部から下向きに突出する接点部１３１ｆを備えている。
【００６１】
これら入側壁部１３１ａ、出側壁部１３１ｂ、頭頂部１３１ｃ、補強部１３１ｄ，補強部１３１ｅおよび接点部１３１ｆは、例えば、金属板をプレス加工することにより一体に形成されている。
【００６２】
外装部１３２は、芯部１３１の入側壁部１３１ａ、出側壁部１３１ｂおよび接点部１３１ｆが外方に向けて露出するように、芯部１３１の頭頂部１３１ｃおよび補強部１３１ｄ、１３１ｅを一体に覆っている。外装部１３２は、例えば、ポリプロピレン等の合成樹脂を射出形成することにより一体に形成されている。ガラス板１３３は、出側壁部１３１ｂおよび頭頂部１３１ｃにより囲まれる空間を外部から遮断するように、外装部１３２の下面部に取り付けられている。
【００６３】
図８、図９に示すように、除電ブラシ１３４は、原稿搬送方向に延び、かつ筐体１３０の長手方向に所定の間隔を置くよう配置した複数の金属線１３４ａと、筐体１３０の長手方向に延びて各金属線１３４ａの基端部を保持するホルダ１３４ｂとを備えている。このホルダ１３４ｂは、金属によって形成されている。
【００６４】
除電ブラシ１３４は、ホルダ１３４ｂが前述のＡＤＦ２の後側板２ａと前側板２ｂとの間に介在するステー２ｃに取り付けられており、各金属線１３４ａの先端部が芯部１３１の入側壁部１３１ａに導電可能に接触するようになっている。
【００６５】
ここで、後側板２ａ、前側板２ｂおよびステー２ｃはいずれも金属製であり、本発明における自動原稿搬送装置の金属部分に相当する。これにより、筐体１３０は、除電ブラシ１３４を介してＡＤＦ２に接地されることになる。
【００６６】
また、前側板２ｂには、外部からＡＤＦ２内に筐体１３０を差し込むための開口部２ｄが形成されている。この開口部２ｄからＡＤＦ２内に筐体１３０を差し込むと、芯部１３１の入側壁部１３１ａに除電ブラシ１３４の金属線１３４ａが接触するとともに、接点部１３１ｆが後側板２ａに対峙するようになっている。
【００６７】
図９、図１０に示すように、バネ部材１３５は、後側板２ａに形成された開口部２ｅに嵌め込まれ、かつ後側板２ａに弾性変形可能に取り付けられており、芯部１３１の接点部１３１ｆが導電可能に接触するようになっている。また、バネ部材１３５は、芯部１３１から後側板２ａへの伝熱部材を兼ねている。
【００６８】
芯部１３１の接点部１３１ｆに対するバネ部材１３５の接触面積は、芯部１３１の入側壁部１３１ａに対する除電ブラシ１３４の各金属線１３４ａの接触面積の合計よりも広くなっている。また、バネ部材１３５は、板バネに限定されるものではなく、コイルバネであってもよい。
【００６９】
以下、本実施形態に係る画像読取装置２００の作動について説明する。
【００７０】
本実施形態に係る画像読取装置２００は、ＡＤＦ２のステー２ｃに除電ブラシ１３４のホルダ１３４ｂを取り付けて、筐体１３０の芯部１３１の入側壁部１３１ａに除電ブラシ１３４の金属線１３４ａを接触させている。また、本実施形態に係る画像読取装置２００は、ＡＤＦ２の後側板２ａにバネ部材１３５を取り付けて、筐体１３０の芯部１３１の接点部１３１ｆにバネ部材１３５を接触させている。
【００７１】
つまり、画像読取部１０１の光源部１１１およびセンサチップ１１２等を内装している筐体１３０は、除電ブラシ１３４およびバネ部材１３５を介してＡＤＦ２に接地した状態になる。このため、筐体１３０の外装部１３２を合成樹脂で形成しても、原稿搬送時に筐体１３０に静電気が帯電せず、静電気に起因した画像異常が発生することがない。
【００７２】
また、芯部１３１の入側壁部１３１ａとＡＤＦ２のステー２ｃを導通させる手段として除電ブラシ１３４を用いているので、前側板２ｂの開口部２ｄからＡＤＦ２内に筐体１３０を差し込む際に、入側壁部１３１ａが損傷することがない。
【００７３】
さらに、本実施形態に係る画像読取装置２００は、画像読取時に光源部１１１が発する熱を、芯部１３１からバネ部材１３５を介してＡＤＦ２の後側板２ａに伝達し、筐体１３０の外部に放出する。また、本実施形態に係る画像読取装置２００は、画像読取時に光源部１１１が発する熱を、芯部１３１の入側壁部１３１ａおよび出側壁部１３１ｂから筐体１３０の外部に放出する。
【００７４】
このため、センサチップ１１２、増幅器１１３、Ａ／Ｄ変換部１１４、画像処理部１１５、フレームメモリ１１６、出力制御回路１１７およびＩ／Ｆ回路１１８等の温度上昇を抑制することができ、画像読取部１０１の劣化を防ぐことができる。
【００７５】
また、筐体１３０の外装部１３２を合成樹脂で形成しているため、画像読取装置２００を軽量化することができ、これにより、画像形成装置本体にＡＤＦ２を連結するヒンジ部の荷重負担を小さくすることができる。
【００７６】
また、本実施形態に係る画像読取装置２００は、金属板をプレス加工することで、入側壁部１３１ａ、出側壁部１３１ｂ、頭頂部１３１ｃ、補強部１３１ｄ、補強部１３１ｅおよび接点部１３１ｆからなる芯部１３１を一体に形成している。これにより、芯部１３１に必要な強度を持たせつつ、芯部１３１を低コストで製作することができる。
【００７７】
また、本実施形態に係る画像読取装置２００は、外装部１３２を、ポリプロピレン等の合成樹脂を射出形成することにより一体に形成している。これにより、外装部１３２の形状をＡＤＦ２への取り付けに適した形状にすることができる。
【００７８】
本発明に係る画像読取装置は、上述した実施の形態に限定されるものではない。また、本発明に係る画像読取装置は、各種の画像形成装置に適用することができる。
【符号の説明】
【００７９】
２  ＡＤＦ（自動原稿搬送装置）
２ａ  後側板（自動原稿搬送装置の金属部分）
２ｃ  ステー（自動原稿搬送装置の金属部分）
１０１  画像読取部
１３０  筐体
１３１  芯部
１３２  外装部
１３４  除電ブラシ（導通部）
１３５  バネ部材（導通部）
２００  画像読取装置
【先行技術文献】
【特許文献】
【００８０】
【特許文献１】特開２００３−２９５３４０号公報
【図１】
2015106733.tif 000003
【図２】
2015106733.tif 000004
【図３】
2015106733.tif 000005
【図４】
2015106733.tif 000006
【図５】
2015106733.tif 000007
【図６】
2015106733.tif 000008
【図７】
2015106733.tif 000009
【図８】
2015106733.tif 000010
【図９】
2015106733.tif 000011
【図１０】
2015106733.tif 000012